(57)【要約】【課題】お年寄り又は手先の不自由な患者であっても、容易に錠剤を取り出すことができる錠剤包装体を提供することである。【解決手段】錠剤包装体は、熱成形により形成され、複数個の錠剤が収容可能な凹部と、イージーピール方式で、かつ凹部の開口を閉塞する封止部材と、を含むものである。したがって、錠剤を取り出す作業を１度行うことで、必要な複数種の錠剤を一度に取り出すことができ、患者が薬剤の種類を間違えて服用することを防ぐことができる。【選択図】図１
2013116266.tif 000002
【特許請求の範囲】
【請求項１】
複数個の錠剤が収容可能な凹部と、
イージーピール方式で、かつ前記凹部の開口を閉塞する封止部材と、を含むことを特徴とする錠剤包装体。
【請求項２】
複数個の錠剤が収容された凹部と、
イージーピール方式で、かつ前記凹部の開口を閉塞する封止部材と、を含むことを特徴とする錠剤包装体。
【請求項３】
前記封止部材のイージーピール方式は、ピール強度が５００ｇ／１５ｍｍ以下であることを特徴とする請求項１または２に記載の錠剤包装体。
【請求項４】
前記封止部材は、前記凹部の縁の一部において剥離しないことを特徴とする請求項１から３のいずれか１項に記載の錠剤包装体。
【請求項５】
前記凹部が複数設けられ、前記凹部毎に前記凹部の周囲に溝または切れ目が設けられ、前記凹部毎に分離可能に形成されていることを特徴とする請求項１から４のいずれか１項に記載の錠剤包装体。
【請求項６】
前記封止部材は、前記凹部毎に設けられたことを特徴とする請求項１から５のいずれか１項に記載の錠剤包装体。
【請求項７】
前記凹部の高さは、前記錠剤の高さ以上で前記錠剤２個分の高さ以下であることを特徴とする請求項１から６のいずれか１項に記載の錠剤包装体。
【請求項８】
前記封止部材は、巻回性を有し、前記凹部から前記封止部材を剥離する際に前記封止部材が反り形状となることを特徴とする請求項１から７のいずれか１項に記載の錠剤包装体。
【発明の詳細な説明】
【技術分野】
【０００１】
本発明は、薬剤またはサプリメント等の錠剤を包装する錠剤包装体に関する。
【背景技術】
【０００２】
複数個の薬剤を飲む患者が、薬剤を飲み忘れたり、薬剤を飲み間違えたりすることを防止するために、病院および調剤薬局では複数個の薬剤を一包化することが行われている。
【０００３】
例えば、このような一包化用の薬剤パックとして、複数個の凹部を有する容器と、容器を密封するシールを有する台紙とを備える薬剤パックが提案されている（例えば、特許文献１参照）。この薬剤パックは、１個の凹部に複数個の薬剤を収納することで、薬剤を一包化することができる。さらに、このシールおよび台紙には、薬剤を服用する曜日、時間帯および日付が記載されている。そのため、患者は薬剤を服用する時期を誤りにくい。さらに、医師、薬剤師および看護師などは、薬剤パックの空の凹部を確認することで、患者が適切に薬剤を服用したか否かを確認することができる。
【先行技術文献】
【特許文献】
【０００４】
【特許文献１】特開２００９−０００４８５号公報
【発明の概要】
【発明が解決しようとする課題】
【０００５】
しかしながら、特許文献１記載の薬剤パックにおいては、シールを破って薬剤が取り出される。そのため、お年寄り又は手先の不自由な患者が力不足でシールを破ることができず、薬剤を薬剤パックから取り出すことができないおそれがある。
また、シールを破って薬剤を取り出す方法であると、片手で薬を押し出し、もう片方の手で、薬剤を受ける必要があるが、手先の不自由な患者は、当該行為が困難である。
【０００６】
本発明の目的は、容易に錠剤を取り出すことができる錠剤包装体を提供することである。
【課題を解決するための手段】
【０００７】
（１）
一局面に従う錠剤包装体は、複数個の錠剤が収容可能な凹部と、イージーピール方式で、かつ凹部の開口を閉塞する封止部材と、を含むものである。
【０００８】
この場合、錠剤包装体では、複数個の錠剤を凹部に収容することができる。したがって、錠剤を取り出す作業を１度行うことで、必要な複数種の錠剤を一度に取り出すことができ、患者が薬剤の種類を間違えて服用することを防ぐことができる。また、封止部材が、イージーピール方式からなるので、お年寄り又は手先の不自由な患者であっても、容易に複数個の錠剤を取り出し、服用することができる。
すなわち、従来のシールを破って薬を出す方式では、開封段階と錠剤受け段階とを同時に行う必要があるが、本発明においては、錠剤受け段階が不要となるので、錠剤を容易かつ確実に服用することができる。
【０００９】
（２）
他の局面に従う錠剤包装体は、複数個の錠剤が収容された凹部と、イージーピール方式で、かつ凹部の開口を閉塞する封止部材と、を含むものである。
【００１０】
この場合、錠剤包装体では、複数個の錠剤が凹部に収容される。したがって、錠剤を取り出す作業を１度行うことで、必要な複数種の錠剤を一度に取り出すことができ、患者が薬剤の種類を間違えて服用することを防ぐことができる。また、封止部材が、イージーピール方式からなるので、お年寄り又は手先の不自由な患者であっても、容易に複数個の錠剤を取り出し、服用することができる。
【００１１】
（３）
第３の発明に係る錠剤包装体は、一局面または他の局面に従う錠剤包装体において、封止部材のイージーピール方式は、ピール強度が５００ｇ／１５ｍｍ以下である。
【００１２】
この場合、封止部材のイージーピール方式は、ピール強度が５００ｇ／１５ｍｍ以下であるので、お年寄り又は手先の不自由な患者が力不足で開封できないという問題を防止することができる。また、ピール強度は、より好ましくは３００ｇ／１５ｍｍ以下である。
【００１３】
（４）
第４の発明に係る錠剤包装体は、一局面から第３の発明のいずれか１つに従う錠剤包装体において、封止部材は、凹部の縁の一部と剥離しないものである。
【００１４】
この場合、封止部材と凹部の縁または縁の近傍の一部とが剥離しないので、封止部材と凹部との分離を防止したり、封止部材と凹部との剥離を容易にしたりすることができる。その結果、開封性を高めつつ、凹部内の錠剤を服用する際に、封止部材を誤飲することを防止できる。
【００１５】
（５）
第５の発明に係る錠剤包装体は、一局面から第４の発明のいずれか１つに従う錠剤包装体において、凹部が複数設けられ、凹部毎に凹部の周囲に溝または切れ目が設けられ、凹部毎に分離可能に形成されている。
【００１６】
この場合、複数の凹部の凹部毎に周囲に溝または切れ目が設けられるので、凹部毎に分離することができる。また、必要な個数または自由な個数を持ち歩くことができ、利便性を高めることができる。さらに、凹部毎の大きさは、人体の咽喉の通過が困難なサイズであるため、錠剤包装体の誤飲を確実に防止することができる。例えば、切れ目の例として、ミシン目若しくはハーフカットなどがある。
【００１７】
（６）
第６の発明に係る錠剤包装体は、一局面から第５の発明のいずれか１つに従う錠剤包装体において、封止部材は、凹部毎に設けられている。
【００１８】
この場合、凹部ごとに封止部材が設けられているので、凹部毎に開封を行うことができる。その結果、錠剤包装体内の錠剤の酸化や劣化を抑制することができる。
【００１９】
（７）
第７の発明に係る錠剤包装体は、一局面から第６の発明のいずれか１つに従う錠剤包装体において、凹部の高さは、錠剤１個分の高さ以上で錠剤２個分の高さ以下である。
【００２０】
この場合、凹部の高さは、錠剤１個分の高さ以上で錠剤２個分の高さ以下であるので、錠剤が凹部の中において、重なることがない。すなわち、凹部内の錠剤の有無検査を画像処理化する場合であっても、錠剤の個数または錠剤の欠損を容易に検出することができる。なお、凹部の高さは、錠剤１個分の高さ以上で錠剤２個分の高さ未満に設定してもよい。
【００２１】
（８）
第８の発明に係る錠剤包装体は、一局面から第７の発明のいずれか１つに従う錠剤包装体において、封止部材は、巻回性を有し、凹部から封止部材を剥離する際に封止部材が反り形状または巻き形状となる。
【００２２】
この場合、封止部材が巻回性を有する。その結果、開封後の封止部材が開口近傍に位置しないため、複数の錠剤を容易に取り出し内服することができる。
【図面の簡単な説明】
【００２３】
【図１】本実施の形態に係る錠剤包装体の集合体の一例を示す模式的斜視図である。
【図２】錠剤包装体の構造を説明するための模式的側断面図である。
【図３】錠剤包装体の一例を示す模式的平面図である
【図４】図１から図３に示した錠剤包装体に複数の錠剤を収容した状態を示す図である。
【図５】図４の錠剤包装体を開封した一例を示す図である。
【発明を実施するための形態】
【００２４】
以下、本実施の形態について説明を行う。本実施の形態に係る錠剤包装体は、複数の錠剤包装体の集合体からなる。なお、本実施の形態において、錠剤は、サプリメント、薬剤、およびカプセル状の薬剤のいずれをも含むものである。図１は、本実施の形態に係る錠剤包装体の集合体１００の一例を示す模式的斜視図であり、図２は錠剤包装体１０１の構造を説明するための模式的側断面図であり、図３は錠剤包装体１０１の一例を示す模式的平面図である。
【００２５】
図１に示すように、錠剤包装体の集合体１００は、錠剤包装体１０１が複数連接されて形成される。１個の錠剤包装体１０１は、長さＬ１０１、幅Ｄ１０１からなる。また、錠剤包装体の集合体１００の長手方向は３６０ｍｍ以下、短手方向は３６０ｍｍ以下が好ましい。その理由は、既存の薬袋やケースなどに入れることが可能な大きさとなり、それ以上大きいと、錠剤包装体の集合体１００の持ち運びが困難となるからである。
【００２６】
また、長さＬ１０１は、１０ｍｍより大きく約５０ｍｍ以下が好ましく、幅Ｄ１０１は、１０ｍｍより大きく約５０ｍｍ以下が好ましい。すなわち、１０ｍｍ以上のサイズでなければ、最も小さな錠剤が２個入れることができず、５０ｍｍ以下であれば、最も大きなカプセルが１０個は余裕で入るサイズで、且つ薬同士が重ならないように充填をスムーズに行うことができ、持ち運び性等の利便性にも優れるからである。
【００２７】
また、錠剤包装体１０１の個々の間には、断続的な切り溝（スリット）１１０が設けられている。錠剤包装体１０１は、主に透明性を有する凹部１０３ａを含む底部１０３および凹部を封止する蓋部１０２からなる。
【００２８】
また、凹部１０３ａは、隣接する凹部１０３ａとの距離が、少なくとも５ｍｍ以上８０ｍｍ以下の範囲内で形成される。この距離が５ｍｍ以下になると開封しづらくなり、８０ｍｍ以上になると取り扱いづらくなるからである。
【００２９】
また、凹部１０３ａを含む底部１０３と、凹部を封止する蓋部１０２とは、例えば、シール機でヒートシールされることによって接着される。
【００３０】
次に、図２および図３に示すように、錠剤包装体１０１の蓋部１０２の一部には、それぞれ非接着部１０４およびピール不可部１０５が設けられる。なお、蓋部１０２のイージーピール素材は、ピール強度５００ｇ／１５ｍｍ以下のものからなる。
【００３１】
（非接着部１０４）
非接着部１０４のつかみ幅は５ｍｍ以上、５０ｍｍ以下が好ましい。より好ましくは１０ｍｍ以上、４０ｍｍ以下が好ましい。下限値を下回ると掴みづらく、下限値を上回るとサイズが大きくなり取り扱い性が悪くなる。
【００３２】
また、図２に示すように、錠剤包装体１０１の底部１０３は、熱成形により凹部１０３ａが形成される。凹部１０３ａの高さＨは、内包される錠剤２０１，２０２，２０３のうち最も高い錠剤の高さよりも高く、高さＨは錠剤２０１，２０２，２０３のうち少なくとも２個の錠剤を重ねた高さよりも低い範囲で設けられる。また、凹部１０３ａは、略直方体の空間を有するように形成され、それぞれ各角部には、Ｒ形状が設けられる。
【００３３】
続いて、図４は、図１から図３に示した錠剤包装体１０１に複数の錠剤を収容した状態を示し、図５は、図４の錠剤包装体１０１を開封した一例を示す。
【００３４】
図４に示すように、当該凹部１０３ａには、複数の錠剤２０１，２０２，２０３が収容される。ここで、錠剤２０１，２０２，２０３とは、服用すべき人の症状にあわせて、一度に服用すべき複数種の薬剤または健康用のサプリメント、カプセル等を含む。
【００３５】
続いて、図５に示すように、錠剤包装体１０１の蓋部１０２は、カール性を有する。その結果、服用すべき人が非接着部１０４を保持して錠剤包装体１０１を開封する。その場合、蓋部１０２のカール性から、蓋部１０２が巻回し、図５のように凹部１０３ａの開口部を遮蔽しない。
【００３６】
なお、本実施の形態においては、凹部１０３ａを含む底部１０３は、一の素材からなることとしているが、これに限定されず、基材、更には基材にバリア層など必要な機能を付与するための層を積層しても良い。
【００３７】
（Ａ）
以上のように、本実施の形態に係る錠剤包装体１０１においては、複数個の錠剤２０１，２０２，２０３を凹部１０３ａに収容することができる。したがって、錠剤２０１，２０２，２０３を取り出す作業を１度行うことで、必要な複数種の錠剤２０１，２０２，２０３を一度に取り出すことができ、患者が錠剤の種類および個数を間違えて服用することを防ぐことができる。また、蓋部１０２が、イージーピール方式からなるので、お年寄り又は手先の不自由な患者であっても、容易に複数個の錠剤２０１，２０２，２０３を取り出し、服用することができる。
【００３８】
（Ｂ）
錠剤包装体１０１において、蓋部１０２のイージーピール方式は、ピール強度が５００ｇ／１５ｍｍ以下である。したがって、蓋部１０２のイージーピール方式は、ピール強度が５００ｇ／１５ｍｍ以下であるので、お年寄り又は手先の不自由な患者が力不足で開封できないという問題を防止することができる。また、ピール強度は、より好ましくは３００ｇ／１５ｍｍ以下である。
【００３９】
（Ｃ）
錠剤包装体１０１において、蓋部１０２と凹部１０３ａの縁であるピール不可部１０５とは、剥離しないので、蓋部１０２と凹部１０３ａとの分離を防止したり、蓋部１０２と凹部１０３ａとの剥離を容易にしたりすることができる。その結果、開封性を高めつつ、凹部１０３ａ内の錠剤を服用する際に、蓋部１０２を誤飲することを防止できる。
【００４０】
（Ｄ）
また、錠剤包装体１０１の集合体１００は、凹部１０３ａが複数設けられ、凹部１０３ａ毎に凹部１０３ａの周囲に切り溝１１０が設けられ、凹部１０３ａ毎に分離可能に形成されている。この場合、複数の凹部１０３ａの凹部１０３ａ毎に周囲に切り溝１１０が設けられるので、凹部１０３ａ毎に分離することができる。また、錠剤包装体１１０を必要な個数または自由な個数を持ち歩くことができ、利用者の利便性を高めることができる。さらに、凹部１０３ａ毎の大きさは、人体の咽喉の通過が困難なサイズであるため、誤飲することを確実に防止することができる。
【００４１】
（Ｅ）
また、錠剤包装体１０１の集合体１００において、錠剤包装体１０１の蓋部１０２は、凹部１０３ａ毎に設けられている。この場合、凹部１０３ａごとに蓋部１０２が設けられているので、凹部１０３ａ毎に開封を行うことができる。
【００４２】
（Ｆ）
また、錠剤包装体１０１において、凹部１０３ａの高さは、錠剤２０１，２０２，２０３の高さ以上で錠剤２０１，２０２，２０３のうちいずれか２個分の高さ以下である。したがって、凹部１０３ａの高さＨは、錠剤２０１，２０２，２０３の高さ以上で錠剤２０１，２０２，２０３のうちいずれか２個分の高さ以下であるので、錠剤２０１，２０２，２０３が凹部１０３ａの中において、重なることがない。すなわち、凹部１０３ａ内の錠剤有無検査を画像処理化することが容易となる。
錠剤包装体１０１において、蓋部１０２は、凹部１０３ａの周囲の一部にピール不可部１０５を有する。したがって、凹部１０３ａの周囲の一部にピール不可部１０５があるので、蓋部１０２を開封した際に、凹部１０３ａと蓋部１０２とが分離せず、凹部１０３ａ内の錠剤２０１，２０２，２０３を服用する際に、蓋部１０２を誤飲することを防止することができる。
【００４３】
（Ｇ）
錠剤包装体１０１において、蓋部１０２は、巻回性を有し、凹部１０３ａから蓋部１０２を剥離する際に蓋部１０２が反り形状となる。したがって、開封後の蓋部１０２が開口近傍に位置しないため、複数の錠剤２０１，２０２，２０３を容易に取り出し内服することができる。
【００４４】
本発明においては、錠剤２０１，２０２，２０３が複数個の錠剤に相当し、凹部１０３ａを有する底部１０３が収容可能な凹部に相当し、蓋部１０２が封止部材に相当し、錠剤包装体１０１および錠剤包装体１０１の集合体１００が錠剤包装体に相当し、ピール不可部１０５が凹部の縁の一部に相当し、切り溝１１０が溝または切れ目に相当する。
【００４５】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００４６】
１００  錠剤包装体の集合体
１０１  錠剤包装体
１０２  蓋部
１０３ａ  凹部
１０３  底部
１０４  非接着部
１０５  ピール不可部
１１０  切り溝（スリット）
２０１，２０２，２０３  錠剤
【図１】
2013116266.tif 000003
【図２】
2013116266.tif 000004
【図３】
2013116266.tif 000005
【図４】
2013116266.tif 000006
【図５】
2013116266.tif 000007